(57)【要約】【課題】表示画面中で指し示したオブジェクトを明確に他者に認識させることを可能にする。【解決手段】電子会議装置１は、ネットワークを介してパーソナルコンピュータ２，３，４及びＰＤＡ５から受信される入力操作に応じて、表示装置に表示された画像の一定範囲を指定し、該当する部分画像をもとにオブジェクトを生成すると共に、範囲指定の対象となった表示画像をオブジェクトと関連づけて全体画像として記憶する。そして、電子会議装置１は、全体画像と共にオブジェクトを表示し、この表示されたオブジェクトがポインティングデバイスなどによる入力操作により選択されると、この選択されたオブジェクトを特別な表示形態に変更して強調表示する。【選択図】      図１
2007066081.tif 000002
【特許請求の範囲】
【請求項１】
表示装置に表示された画像の一定範囲を指定する範囲指定手段と、
前記範囲指定手段により指定された範囲に該当する部分画像をもとにオブジェクトを生成するオブジェクト生成手段と、
前記オブジェクト生成手段により生成されたオブジェクトを記憶するオブジェクト記憶手段と、
前記範囲指定手段による範囲指定の対象となった表示画像を前記オブジェクト記憶手段に記憶されたオブジェクトと関連づけて全体画像として記憶する全体画像記憶手段と、
前記オブジェクト記憶手段により記憶されたオブジェクトを表示するオブジェクト表示手段と、
前記オブジェクト表示手段により表示されたオブジェクトを選択するオブジェクト選択手段と、
前記オブジェクト選択手段により選択されたオブジェクトを特別な表示形態に変更して強調表示するオブジェクト強調表示手段と
を具備したことを特徴とする電子会議装置。
【請求項２】
前記オブジェクト強調表示手段は、前記オブジェクトに対して時間経過に伴って表示形態を変更することを特徴とする請求項１記載の電子会議装置。
【請求項３】
前記オブジェクト強調表示手段は、時間経過に伴って、オブジェクトのサイズを変更する第１の表示形態あるいはオブジェクトの表示位置を変更する第２の表示形態の何れかによりオブジェクトを強調表示することを特徴とする請求項２記載の電子会議装置。
【請求項４】
軌跡を表す座標データ列を入力する入力手段と、
前記入力手段により入力された座標データ列が表す軌跡に基づいて、前記オブジェクト表示手段により表示されたオブジェクトに対する指定操作の形態を判別する操作判別手段とを有し、
前記オブジェクト強調表示手段は、前記操作判別手段によって判別された指定操作の形態に応じた表示形態によって前記オブジェクトを強調表示することを特徴とする請求項１記載の電子会議装置。
【請求項５】
強調表示の形態を定義する表示設定データを設定する設定手段を有し、
前記オブジェクト強調表示手段は、前記設定手段により設定された表示設定データに応じた表示形態により、オブジェクトを強調表示することを特徴とする請求項１記載の電子会議装置。
【請求項６】
前記オブジェクト強調表示手段によって実行された強調表示に関するデータの履歴を記憶する履歴記憶手段をさらに具備したことを特徴とする請求項１記載の電子会議装置。
【請求項７】
（選択されたオブジェクトが過去に強調表示されている場合に所定のメッセージ（日時、選択者名など）を表示する）
前記オブジェクト選択手段によって選択されたオブジェクトに対する強調表示に関するデータが前記履歴記憶手段により記憶されているか否かを判別する判別手段と、
前記判別手段によってデータが記憶されていると判別された場合に、所定のメッセージを表示するメッセージ表示手段と
をさらに具備したことを特徴とする請求項６記載の電子会議装置。
【請求項８】
前記履歴記憶手段によって記憶された強調表示に関するデータに基づいて、オブジェクトに対する強調表示を再現する強調表示再現手段をさらに具備したことを特徴とする請求項６記載の電子会議装置。
【請求項９】
コンピュータを、
表示装置に表示された画像の一定範囲を指定する範囲指定手段と、
前記範囲指定手段により指定された範囲に該当する部分画像をもとにオブジェクトを生成するオブジェクト生成手段と、
前記オブジェクト生成手段により生成されたオブジェクトを記憶するオブジェクト記憶手段と、
前記範囲指定手段による範囲指定の対象となった表示画像を前記オブジェクト記憶手段に記憶されたオブジェクトと関連づけて全体画像として記憶する全体画像記憶手段と、
前記オブジェクト記憶手段により記憶されたオブジェクトを表示するオブジェクト表示手段と、
前記オブジェクト表示手段により表示されたオブジェクトを選択するオブジェクト選択手段と、
前記オブジェクト選択手段により選択されたオブジェクトを特別な表示形態に変更して強調表示するオブジェクト強調表示手段として機能させるための電子会議装置制御プログラム。
【発明の詳細な説明】
【技術分野】
【０００１】
本発明は、会議の出席者が使用している情報機器間でデータを共有することで会議を支援するための電子会議装置、電子会議装置制御プログラムに関する。
【背景技術】
【０００２】
従来、会議を電子的に支援するためのシステムが考えられている（例えば特許文献１，２）。
【０００３】
特許文献１に記載された電子支援装置は、会議出席者が情報処理装置を介して送信した個人の知識である情報を会議出席者全員で共有化するための情報共有領域と、共有化された知識である情報の構造を編集するための選択表示領域とを明確に区別し、会議出席者が共通に視認することができる表示装置に表示し、このように表示装置に表示された状態で、情報共有領域に表示されたオブジェクト（ファイルアイコン、一時的にコピーされた情報（文字列、画像など））の中から所定のオブジェクトが指定されると、この指定されたオブジェクトを選択表示領域の所望の位置に表示することができる。
【０００４】
これにより、一の会議出席者により提供された情報が更新されたことを他の会議出席者や会議の進行役は容易に認知することができ、提供された情報は選択表示領域には直接表示されないことから各情報処理装置での同期処理は必要ないので、議論の進行を妨げることなく会議を運営することができる。
【０００５】
特許文献２に記載された電子会議システムは、複数のクライアントが１つのサーバに接続され、各クライアントがサーバにある情報を閲覧あるいは編集可能なサーバ／クライアント型の電子会議システムであって、サーバは文書の表示画面データを記憶するための複数の画面バッファを備え、各画面バッファ毎に、複数のクライアントが表示画面データを同時に表示できる共有画面モード、あるいは１つのクライアントのみが表示画面データを表示できる個別画面モードのいずれかのモードを選択し、共有画面モードにあるサーバの画面バッファと個別画面モードにあるサーバの画面バッファの両方に同じ文書データを記憶している場合に、１つのクライアントにおいて個別画面モードにあるサーバの画面バッファに記憶された文書データに対して編集操作を行うと、該操作に対応した所定のタイミング毎に、編集操作と同じ編集操作が共有画面モードにあるサーバの画面バッファに記憶された文書データに対して行われる。
【０００６】
これにより、個々の端末で、共有文書に対する追記、編集などを行う際に、他人に不要なあるいは他人に見られたくない部分は全ての端末で共有されないため、他人の目を気にせずに共有文書に対して追記、編集することができ、会議出席者などのユーザの利便性を向上することができる。
【特許文献１】特開２００３−２８１０６６号公報
【特許文献２】特開２００３−２８１１０１号公報
【発明の開示】
【発明が解決しようとする課題】
【０００７】
特許文献１，２に記載された装置（システム）では、画面中に表示されたオブジェクトを指し示す場合には、マウスやタッチパネルなどのポインティングデバイスを操作し、カーソルなどを所望のオブジェクトに移動させることによって行われる。
【０００８】
一般にホワイトボードやスクリーン上のオブジェクトを指し示す場合、レーザポインタなどが使用されている。レーザポインタであれば高い輝度を有しているため、指し示しているオブジェクトを容易に認識することができるが、マウスカーソルではレーザポインタのような高い輝度を有してないため、どのオブジェクトを指し示しているのかわかりにくい場合があった。
【０００９】
本発明の課題は、表示画面中で指し示したオブジェクトを明確に他者に認識させることが可能な電子会議装置、電子会議装置制御プログラムを提供することにある。
【課題を解決するための手段】
【００１０】
請求項１記載の発明は、表示装置に表示された画像の一定範囲を指定する範囲指定手段と、前記範囲指定手段により指定された範囲に該当する部分画像をもとにオブジェクトを生成するオブジェクト生成手段と、前記オブジェクト生成手段により生成されたオブジェクトを記憶するオブジェクト記憶手段と、前記範囲指定手段による範囲指定の対象となった表示画像を前記オブジェクト記憶手段に記憶されたオブジェクトと関連づけて全体画像として記憶する全体画像記憶手段と、前記オブジェクト記憶手段により記憶されたオブジェクトを表示するオブジェクト表示手段と、前記オブジェクト表示手段により表示されたオブジェクトを選択するオブジェクト選択手段と、前記オブジェクト選択手段により選択されたオブジェクトを特別な表示形態に変更して強調表示するオブジェクト強調表示手段とを具備したことを特徴とする。
【００１１】
請求項２記載の発明は、請求項１記載の発明において、前記オブジェクト強調表示手段は、前記オブジェクトに対して時間経過に伴って表示形態を変更することを特徴とする。
【００１２】
請求項３記載の発明は、請求項２記載の発明において、前記オブジェクト強調表示手段は、時間経過に伴って、オブジェクトのサイズを変更する第１の表示形態あるいはオブジェクトの表示位置を変更する第２の表示形態の何れかによりオブジェクトを強調表示することを特徴とする。
【００１３】
請求項４記載の発明は、請求項１記載の発明において、軌跡を表す座標データ列を入力する入力手段と、前記入力手段により入力された座標データ列が表す軌跡に基づいて、前記オブジェクト表示手段により表示されたオブジェクトに対する指定操作の形態を判別する操作判別手段とを有し、前記オブジェクト強調表示手段は、前記操作判別手段によって判別された指定操作の形態に応じた表示形態によって前記オブジェクトを強調表示することを特徴とする。
【００１４】
請求項５記載の発明は、請求項１記載の発明において、強調表示の形態を定義する表示設定データを設定する設定手段を有し、前記オブジェクト強調表示手段は、前記設定手段により設定された表示設定データに応じた表示形態により、オブジェクトを強調表示することを特徴とする。
【００１５】
請求項６記載の発明は、請求項１記載の発明において、前記オブジェクト強調表示手段によって実行された強調表示に関するデータの履歴を記憶する履歴記憶手段をさらに具備したことを特徴とする。
【００１６】
請求項７記載の発明は、請求項６記載の発明において、前記オブジェクト選択手段によって選択されたオブジェクトに対する強調表示に関するデータが前記履歴記憶手段により記憶されているか否かを判別する判別手段と、前記判別手段によってデータが記憶されていると判別された場合に、所定のメッセージを表示するメッセージ表示手段とをさらに具備したことを特徴とする。
【００１７】
請求項８記載の発明は、請求項６記載の発明において、前記履歴記憶手段によって記憶された強調表示に関するデータに基づいて、オブジェクトに対する強調表示を再現する強調表示再現手段をさらに具備したことを特徴とする。
【００１８】
請求項９記載の発明は、コンピュータを、表示装置に表示された画像の一定範囲を指定する範囲指定手段と、前記範囲指定手段により指定された範囲に該当する部分画像をもとにオブジェクトを生成するオブジェクト生成手段と、前記オブジェクト生成手段により生成されたオブジェクトを記憶するオブジェクト記憶手段と、前記範囲指定手段による範囲指定の対象となった表示画像を前記オブジェクト記憶手段に記憶されたオブジェクトと関連づけて全体画像として記憶する全体画像記憶手段と、前記オブジェクト記憶手段により記憶されたオブジェクトを表示するオブジェクト表示手段と、前記オブジェクト表示手段により表示されたオブジェクトを選択するオブジェクト選択手段と、前記オブジェクト選択手段により選択されたオブジェクトを特別な表示形態に変更して強調表示するオブジェクト強調表示手段として機能させることを特徴とする。
【発明の効果】
【００１９】
請求項１，９記載の発明によれば、表示装置において表示された画像中において生成されたオブジェクトに対して、ユーザによる入力操作により何れかが指定された場合には、この入力操作に応じてオブジェクトを選択し、特別な表示形態に変更して強調表示することかできるので、表示画面中で指し示したオブジェクトを明確に他者に認識させることが可能となる。
【００２０】
請求項２記載の発明によれば、請求項１の発明の効果に加えて、強調表示の表示形態を時間経過に伴って変更することにより、より明確にオブジェクトを認識させることができる。
【００２１】
請求項３記載の発明によれば、請求項２の発明の効果に加えて、時間経過に伴って変更される表示形態として、オブジェクトのサイズを変更（拡大／縮小）する、あるいはオブジェクトの表示位置を変更（揺動）することにより、オブジェクトを明確に認識させることができる。
【００２２】
請求項４記載の発明によれば、請求項１の発明の効果に加えて、強調表示させるオブジェクトの指定操作を、ポインティングデバイスなどを利用した筆記により行う場合に、どのような軌跡によりオブジェクトが指定されているか（指定操作の形態）に基づいて強調表示することで、筆記操作だけでオブジェクトを指定すると共に強調表示の形態を指定することができようになる操作性の向上が図れる。
【００２３】
請求項５記載の発明によれば、請求項１の発明の効果に加えて、強調表示の形態を定義する表示設定データを設定できるようにすることで、強調表示の形態を任意に変更することができ、状況に合わせてオブジェクトを認識しやすくすることができる。
【００２４】
請求項６記載の発明によれば、請求項１の発明の効果に加えて、オブジェクトに対して実行された強調表示に関するデータを履歴として記憶しておくことで、例えば会議中に表示画面中でオブジェクトに対して行われた強調表示を確認することができ、これをもとに会議で議論された内容などを把握するといったことが可能となる。
【００２５】
請求項７記載の発明によれば、請求項６の発明の効果に加えて、強調表示の対象として選択されたオブジェクトが既に強調表示されていた場合、例えば会議に参加している他者が同じオブジェクトを指定して強調表示させていた場合に、前にいつ誰がオブジェクトを指定したかを示すメッセージを表示することで、議論の効率化や活性化を図ることができる。
【００２６】
請求項８記載の発明によれば、請求項６の発明の効果に加えて、オブジェクトに対して実行された強調表示に関するデータを履歴、すなわち時系列的に順次記憶しておくことで、このデータをもとに時系列的にオブジェクトに対する強調表示を再現することができる。これにより例えば会議が終了した後に、何れのオブジェクトに対して強調表示がされたかを時系列的に確認することで、会議で議論された内容の変化などを把握することができる。
【発明を実施するための最良の形態】
【００２７】
以下、図面を参照して本発明の実施の形態について説明する。  
図１は、本実施形態における電子会議装置１を使用するシステム構成を示すブロック図である。
【００２８】
電子会議装置１には、複数のパーソナルコンピュータ２，３，４、ＰＤＡ（personal digital assistant）５などが無線ＬＡＮ（Local Area Network）などによる無線接続、あるいはＵＳＢ（Universal Serial Bus）などによる有線接続などのネットワークにより接続されている。なお、相互接続の方法については無線、有線の何れの場合も他の方法を用いることが可能である。
【００２９】
本実施形態における電子会議装置１では、電子会議装置制御プログラムを実行することにより、仮想のホワイトボード（電子ホワイトボード）を設定して画像データを管理する。本実施形態では、画像中において各種処理の単位とするオブジェクトを設定し、このオブジェクトと全体画像のデータとを関連づけて管理する。電子会議装置１は、ポインティングデバイス（マウス、タブレットなど）を通じて例えば手書き入力される軌跡を表すデータ（座標時系列データ）、あるいはアプリケーションによって処理されている画面の画像データを電子ホワイトボードに貼り付け、この電子ホワイトボードで管理される画像データによる画像を、プロジェクタ６を通じてスクリーン７に投影（表示）させて、会議の出席者に見せることができる。
【００３０】
また、電子会議装置１は、電子ホワイトボードにより管理される画像データを、ネットワーク（無線ＬＡＮ、ＵＳＢなど）を介して接続されたパーソナルコンピュータ２，３，４及びＰＤＡ５と共有化し、パーソナルコンピュータ２，３，４及びＰＤＡ５においても同様の画面を表示させ、画像データに対する入力操作を受け付けて各種処理を実行させることができる。
【００３１】
さらに、電子会議装置１は、パーソナルコンピュータ２，３，４及びＰＤＡ５における、電子ホワイトボードにより管理される画像データに対する各種処理の結果を入力し、選択的に合成してプロジェクタ６を通じて投影（表示）させることができる。例えば、パーソナルコンピュータ２，３，４及びＰＤＡ５において、ポインティングデバイス（マウス、タブレットなど）を用いて入力された、画像データに対する軌跡（座標データ列）を入力して表示させることができる。また、軌跡のデータは、パーソナルコンピュータ２，３，４及びＰＤＡ５の何れのユーザにより、表示画面中に表示されたオブジェクトの何れが指定されたかを判別するために用いられる。
【００３２】
図２は、図１に示す電子会議装置１の詳細な構成を示すブロック図である。  
図２に示すように、電子会議装置１は、ＣＰＵ（Central Processing Unit）１０、ＲＡＭ（random access memory）１１、ＲＯＭ（Read Only Memory）１２、ＲＴＣ（Real Time clock）１３、無線ＬＡＮコントローラ１４、映像信号出力コントローラ１５、ＬＣＤコントローラ１６、デバイスコントローラ１７、ＵＳＢコントローラ１８、ハードディスクコントローラ１９、ＬＣＤ２０、ポインティングデバイス２１、ＵＳＢインタフェース２２、及びハードディスク２３を有している。
【００３３】
ＣＰＵ１０は、ＲＯＭ１２に記憶された各種プログラム、ハードディスク２３からロードされたＯＳや各種のアプリケーションプログラムを実行する。アプリケーションプログラムには、プレゼンテーション、ワードプロセッサ、表計算、図形描画等の機能を提供するプログラムの他、本実施形態における電子ホワイトボード機能を実現するための電子会議装置制御プログラムが含まれている。
【００３４】
ＲＡＭ１１は、各種プログラムやデータなどが一時的に記憶されるもので、ＣＰＵ１０により実行される各種処理のワークエリアとして使用される。電子会議装置制御プログラム（電子ホワイトボード機能）が実行されている場合には、電子ホワイトボードに貼り付けられる画像データや、この機能により管理される各種データ（オブジェクト等）のファイルが記憶される。
【００３５】
ＲＯＭ１２は、システム全体の制御を行うためのプログラムが予め記憶されている。  
ＲＴＣ１３は、専用バッテリによりバックアップされており、年月日時刻を示すデータを出力する。  
無線ＬＡＮコントローラ１４は、パーソナルコンピュータ２，３との間の無線通信を制御する。
【００３６】
映像信号出力コントローラ１５は、プロジェクタ６により画像を投影させるための映像信号を、例えばＲＧＢあるいはＤＶＩ（Digital Visual Interface）により出力する。映像信号出力コントローラ１５は、電子ホワイトボード機能が起動されている場合に、ＣＰＵ１０の制御により電子ホワイトボード画像を表示するための映像信号を出力する。
【００３７】
ＬＣＤコントローラ１６は、ＣＰＵ１０の制御のもとで、ＬＣＤ２０における表示を制御する。ＬＣＤ２０の表示面には、ポインティングデバイス２１が重ね合わせて一体化されており、ポインティングデバイス２１により入力される座標時系列データに応じた筆跡（軌跡）を入力位置に合わせて表示する。
【００３８】
デバイスコントローラ１７は、ポインティングデバイス２１の入力制御を行うもので、例えばタブレット上で位置指示手段として使用されるペンのペン先が接触した部分を検出し、その位置情報（座標データ）を取り込む。なお、タブレットは、ＬＣＤ２０の表示面と重ね合わせて一体化されている。また、タブレット以外のマウスなどのポインティングデバイスによる入力制御を行う。
【００３９】
ＵＳＢコントローラ１８は、ＣＰＵ１０の制御のもとで、ＵＳＢインタフェース２２を介して接続されたパーソナルコンピュータ４やＰＤＡ５などの他の情報機器との間でＵＳＢ規格に準拠したデータ転送を実行、制御する。
【００４０】
ハードディスクコントローラ１９は、ＣＰＵ１０の制御のもとで、ハードディスク２３に対するプログラムやデータの書き込み、読出しを制御する。ハードディスク２３には、ＯＳ（Operating System）プログラム、各種アプリケーションプログラム（電子会議装置制御プログラムを含む）などのプログラムの他、電子ホワイトボード機能において管理される画像データや管理／設定データを含むファイルなどが記録されており、必要に応じて読み出される。ハードディスク２３に記憶される管理／設定データとしては、後述する端末管理データ、オブジェクト管理データ、表示設定データが含まれている（詳細については後述する（図３、図４、図５））。
【００４１】
なお、ポインティングデバイスとしてＬＣＤ２０と一体化されたポインティングデバイス２１だけではなく、一般のホワイトボードの形状をした、ボード上でのマーカ（ペン）などによる描画に応じて筆跡を表す座標時系列データを入力可能な装置を電子会議装置１に接続した構成とすることもできる。
【００４２】
また、図１に示すシステム構成では、電子会議装置１からプロジェクタ６に対して電子ホワイトボードの画像データを出力し、プロジェクタ６による画像をスクリーン７に投影させるものとしているが、例えば電子会議装置１からのデータを受信して画像を表示する大画面を持つディスプレイを用いることも可能である。
【００４３】
次に、電子会議装置１において管理されるデータの一例について説明する。  
図３は、ネットワークを介して接続される複数の端末（パーソナルコンピュータ２，３，４、ＰＤＡ５）を管理するための端末管理データの一例を示している。端末管理データでは、端末の端末名、端末を使用しているユーザのユーザ名、端末に対して予め決められた表示色のデータなどが対応付けられている。端末名及びユーザ名のデータは、ネットワークを介して各端末から取得したり、あるいは別の手段により取得されて設定されるものとする。表示色のデータは、ユーザ別に任意に設定されるもので、例えば、ユーザが表示画面中の画像に対して、ポインティングデバイスを用いたドラッグ操作などによって筆跡（座標データ列）を入力した場合に、この筆跡を画像中に表示する際に用いる色を示している。
【００４４】
図４は、画像データ中で設定されたオブジェクトに対する強調表示のための操作に関するデータを管理するためのオブジェクト管理データの一例を示している。
【００４５】
オブジェクト管理データは、例えば会議において電子ホワイトボードを利用した際に、電子ホワイトボード上で操作されたオブジェクトに関するデータを含むもので、例えば会議別に管理される。すなわち、オブジェクト管理データでは、会議名と同会議に関するデータ（日時、場所、参加者名などを含む）と対応付けて、この会議中に電子ホワイトボード上で操作されたオブジェクトを示すデータと、同オブジェクトに対する操作内容を示す操作データとを対応付けて、時系列的に順次設定される。操作データには、例えば操作した日時、操作者（ユーザ名）、指定操作の形態（オブジェクトを選択した差異の入力操作の形態）などを示すデータを含むものとする。
【００４６】
図５は、オブジェクトに対する強調表示に関するデータを管理するための表示設定データの一例を示している。表示設定データでは、強調表示の表示形態を定義する設定データと、オブジェクトを選択するための入力操作の判定基準となる基準データとを含んでいる（図１０参照）。
【００４７】
強調表示の表示形態を定義する設定データは、表示形態毎に設定されるもので、本実施形態では表示形態として「拡大型」「横揺れ型」が用意されているものとする。「拡大型」の表示形態については、例えば表示を変更する時間（秒）、拡大率（倍）、変更回数が設定される。「横揺れ型」の表示形態については、例えば表示を変更する時間（秒）、揺れ幅（指定範囲に対する倍率）、変更回数が設定される。
【００４８】
基準データは、表示画面中において強調表示させるオブジェクトの指定操作を、ポインティングデバイスを利用した筆記により行う際に、どのような軌跡によりオブジェクトが指定されているか（指定操作の形態）、すなわちオブジェクトに対する下線（アンダーライン）を表す軌跡であるか否かを判別するための基準値である（図１２参照）。ここでは、下線と判断する高さ（軌跡の上下端）の差の上限が設定される。なお、指定操作の形態としては、オブジェクトに対する下線を筆記する場合、及びオブジェクトに該当する領域を取り囲む軌跡を筆記する場合があるものとする（図１３参照）。
【００４９】
次に、本実施形態における電子会議装置１の動作について説明する。  
まず、電子会議装置１による全体の動作（電子ホワイトボード処理）について、図６に示すフローチャートを参照しながら説明する。
【００５０】
電子会議装置１は、起動されると、ネットワーク（無線ＬＡＮ、ＵＳＢなど）を介して接続された端末の確認処理を実行する（ステップＡ１）。電子会議装置１には、例えば、図３に示すような端末管理データが予めハードディスク２３に記憶されており、接続が確認された端末に該当するデータを有効とする。
【００５１】
電子会議装置１は、接続が確認された端末に対して、電子ホワイトボード機能をネットワークを通じて利用できるようにする。すなわち、電子会議装置１により管理されるスクリーン７に投影される画像データを共有し、この画像データに対する入力操作を受け付けて各種処理が実行できるようにする。
【００５２】
入力操作では、メニューなどからコマンドを選択する操作モードの他、通常モードにおける画像中の軌跡を表す座標データの入力（筆跡入力操作）、画像中で強調表示させるオブジェクトを選択する座標データの入力（強調操作）などの操作モードの実行が可能である。
【００５３】
コマンド選択により実行できる処理としては、表示された画像データからオブジェクトを生成するオブジェクト化処理、オブジェクトを強調表示する差異の表示形態を設定する設定処理、オブジェクトに対する強調表示の履歴をもとに強調処理を再現させる再現操作処理などがある。
【００５４】
電子会議装置１は、ポインティングデバイス２１に対する入力操作、あるいはネットワークを介して接続されたパーソナルコンピュータ２，３，４及びＰＤＡ５から操作を受信すると（ステップＡ２）、操作モードに応じた処理を実行する（ステップＡ３）（詳細については後述する）。
【００５５】
電子会議装置１は、操作モードに応じて処理を実行し、その処理結果に応じて表示データを更新し（ステップＡ４）、表示データをプロジェクタ６に出力して、スクリーン７において投影（表示）させる（ステップＡ５）。
【００５６】
次に、図６のフローチャート中に示す操作モードに応じた処理（ステップＡ３）の詳細について、図７に示すフローチャートを参照しながら説明する。
【００５７】
まず、電子会議装置１のＣＰＵ１０は、無線ＬＡＮコントローラ１４あるいはＵＳＢコントローラ１８（ＵＳＢインタフェース２２）を通じて、ネットワークを通じて何れの端末から入力操作のデータが受信されているかに基づいて操作者を判別する（ステップＢ１）。なお、デバイスコントローラ１７からの入力については、ポインティングデバイス２１に対する入力操作であると判別する。
【００５８】
ここで、受信された入力操作がコマンド指定である場合（ステップＢ２、Ｙｅｓ）、ＣＰＵ１０は、コマンドに応じた処理を実行する。コマンド指定により実行されるオブジェクト化処理、設定処理、及び再現操作処理の詳細については後述する。
【００５９】
一方、ポインティングデバイスの操作による座標データの入力である場合（ステップＢ４、Ｙｅｓ）、ＣＰＵ１０は、現在の操作モードが筆跡入力操作であれば筆跡データ入力処理を実行する（ステップＢ５，Ｂ６）。筆跡データ入力処理では、入力された座標データ列を現在の画像データに合成して、筆跡などを表す軌跡を画像中で描画させる。
【００６０】
また、ＣＰＵ１０は、現在の操作モードが強調操作であれば強調処理を実行する（ステップＢ５，Ｂ８）。強調処理では、入力された座標データをもとに強調表示の対象として選択されたオブジェクトを判別すると共に、そのオブジェクトを選択するための入力操作に応じた強調表示の表示形態を決定し、その表示形態によりオブジェクトを強調表示する（詳細については後述する）。
【００６１】
なお、その他の入力操作にであった場合には（ステップＢ４、Ｎｏ）、その入力操作に応じた他の処理を実行する（ステップＢ７）。
【００６２】
次に、表示された画像データからオブジェクトを生成するためのオブジェクト化処理について、図８に示すフローチャートを参照しながら説明する。図９には、オブジェクト化処理の対象となる画像の一例を示している。
【００６３】
オブジェクト化を実光するための入力操作は、電子会議装置１において実行されても良いし、ネットワークを介して接続された端末（パーソナルコンピュータ２，３，４及びＰＤＡ５）で行われても良い。
【００６４】
まず、メニューから「オブジェクト化」が選択されると（ステップＣ１、Ｙｅｓ）、ＣＰＵ１０は、範囲指定のためのドラッグ操作により入力された座標時系列データをもとに、指定された範囲を例えば矩形枠によって設定する。例えば、指定範囲内の画像から所定距離に位置する水平垂直（ｘ，ｙ）方向の直線により矩形枠を設定する。
【００６５】
例えば、図９（ａ）に示すように「ホワイトボード」と手書き入力された画像をオブジェクト化する場合には、図９（ｂ）に示すように、このオブジェクト化の対象とする範囲を囲むような軌跡を入力する。これにより、図９（ｃ）に示すように、「ホワイトボード」と手書き入力された画像を含む範囲指定された矩形枠を設定する。
【００６６】
ＣＰＵ１０は、範囲指定内の画像（部分画像）を切り取り、ＲＡＭ１１に一時記憶しておく（ステップＣ２）。そして、ＣＰＵ１０は、部分画像と指定範囲の位置とをもとにオブジェクトを生成し、切り取った部分画像に矩形枠を付加してオブジェクトとして電子ホワイトボードに貼り付ける（ステップＣ３）。この時、オブジェクトは、部分画像を切り取った位置に貼り付けるものとする。
【００６７】
オブジェクトの生成では、各種データを記憶するファイルを生成して記憶しておく。すなわち、（１）全体画像からオブジェクト（部分画像）を除いた画面ファイル、（２）全体画像のサムネイル画像ファイル、（３）オブジェクトの設定ファイル、（４）オブジェクト画像ファイルである。
【００６８】
なお、オブジェクトの設定ファイルには、全体画像中におけるオブジェクトの位置及びサイズを示すデータと、オブジェクト画像ファイル名（貼り付け画像名）との組からなるデータ（以下、オブジェクトデータ）が、全体画像中に設定されたオブジェクト分含まれている。オブジェクトの位置を示すデータは、範囲指定された画像に対して設定した矩形枠の始点とする頂点のｘｙ座標と、始点からのｘｙそれぞれの方向のサイズを示すデータにより定義されている。
【００６９】
ＣＰＵ１０は、オブジェクトの生成時に、前述した各ファイルを生成することによりオブジェクトと、オブジェクトに関連する画像（全体画像、部分画像）を管理する。ＣＰＵ１０は、これらのオブジェクトに関連するファイルを保存してオブジェクト化処理を終了する（ステップＣ４）。
【００７０】
次に、画像中のオブジェクトを強調表示する際の表示形態を設定する設定処理について説明する。
【００７１】
例えば、設定処理を実行させるコマンドが指定されると、ＣＰＵ１０は、設定処理を起動して、例えば図１０に示すような表示形態を設定するための設定画面を表示させる。
【００７２】
図１０に示す設定画面では、強調表示の表示形態を定義する設定データと、オブジェクトを選択するための入力操作の判定基準となる基準データを設定するための項目が用意されている。
【００７３】
強調表示の表示形態を定義する設定データとして、「拡大型」「横揺れ型」のそれぞれについて個別に設定するための項目が用意されている。「拡大型」の表示形態については、例えば表示を変更する時間（０．１〜９．９秒）、拡大率（１．１〜９．９倍）、変更回数（２〜９９回）をそれぞれの設定可能範囲内で任意に設定することができる。同様にして、「横揺れ型」の表示形態については、例えば表示を変更する時間（０．１〜９．９秒）、揺れ幅（指定範囲に対する倍率）（１．１〜９．９倍）、変更回数（２〜９９回）をそれぞれの設定可能範囲内で任意に設定することができる。
【００７４】
また、基準データとして、オブジェクトに対する下線（アンダーライン）を表す軌跡であるか否かを判別するための基準値となる、下線と判断する高さの差の上限をピクセル数（４〜９９ピクセル）の指定により設定することができる。
【００７５】
ＣＰＵ１０は、各項目に対する設定操作が行われた後、設定画面中の「ＯＫ」ボタンが指定されると、現在の各項目に設定されたデータを、図５に示すように表示設定データとしてハードディスク２３に記憶して設定処理を終了する。
【００７６】
なお、設定画面中の「キャンセル」ボタンが指定された場合には、各項目に設定されたデータを破棄して設定処理を終了する。
【００７７】
設定処理によって設定され表示設定データは、後述する強調処理において、オブジェクトの強調表示の実行を指示する入力操作が行われた際に参照される。
【００７８】
次に、オブジェクトを特別な表示形態に強調表示するための強調処理について、図１１に示すフローチャートを参照しながら説明する。
【００７９】
操作モードが強調操作の場合に入力される座標データは、強調表示の対象とするオブジェクトを選択するためのデータとして順次取得されて記憶される（ステップＤ１）。ここでは、連続した座標データ、すなわちポインティングデバイスのドラッグ操作により入力される軌跡を表す座標データを入力する。この座標データの取得は、ドラッグ操作が完了するまで実行される（ステップＤ２）。
【００８０】
座標データの取得が完了すると、ＣＰＵ１０は、入力された座標データをもとに、オブジェクトを選択するための入力操作により入力された軌跡の形態（指定操作の形態）を判別する（ステップＤ３）。
【００８１】
本実施形態では、指定操作の形態に応じて、強調表示の対象として選択されたオブジェクトに対する表示形態を決定する。ここでは、オブジェクトに該当する領域範囲を指定する範囲指定あるいはオブジェクトに対する下線の付加によりオブジェクトが選択されるものとし、範囲指定である場合には「拡大型」の強調表示、下線の付加の場合には「横揺れ型」の強調表示が行われるように設定されているものとする。
【００８２】
図１２には、ドラッグ操作により入力される範囲指定あるいは下線を表す軌跡の一例を示している。
【００８３】
ＣＰＵ１０は、入力された座標データ（軌跡）と、設定処理により設定された表示設定データが示す「下線と判断する高さの差の上限」の値（以下、設定値と称する）と比較することにより、範囲指定か下線であるかを判定する。
【００８４】
図１２中のＡに示す軌跡は、文字（あるいはオブジェクト）に重なっており、高さ（軌跡の上下端の差）も設定値を超えているので範囲指定であると判別する。Ｂに示す軌跡は、文字に重なっているが高さが設定値以下なので下線と判別する。Ｃに示す軌跡は、文字に重なっておらず、高さも設定値以下なので下線と判別する。Ｄに示す軌跡は、高さは設定値を超えるが、文字に重なっていないので下線と判別する。
【００８５】
ＣＰＵ１０は、入力された座標データが示す軌跡により範囲指定であると判別した場合（ステップＤ３、Ｙｅｓ）、軌跡に対応する位置にオブジェクトが設定されているかを、オブジェクト化処理により保存されているオブジェクトに関連するファイル、すなわちオブジェクトの位置を示すデータをもとに判別する。
【００８６】
ここで、オブジェクトが存在しない場合（ステップＤ４、Ｎｏ）、ＣＰＵ１０は、軌跡が示す範囲の画像を取得し、この画像に対してステップＢ１（図７）において判別された操作者に対して設定されている表示色により強調表示する（ステップＤ９）。操作者に対して設定されている表示色は、端末管理データ（図３参照）に設定されたユーザ名（操作者）に対応する表示色のデータを参照することにより判別する。
【００８７】
図１３には、軌跡が示す範囲に該当する画像の一例を示している。図１３中に示すＡは、範囲指定として判別された軌跡である。範囲指定の場合には、例えば軌跡の上下端と左右端に接するｘｙ座標軸に平行な線により囲まれる矩形枠内の画像を取得する。
【００８８】
一方、範囲指定された位置にオブジェクトが存在していた場合（ステップＤ４、Ｙｅｓ）、ＣＰＵ１０は、該当するオブジェクトをオブジェクト管理データから検索し、このオブジェクトに対応付けて操作データが記憶されているかを判別する。すなわち、過去に同じオブジェクトに対して強調表示の対象として指定されているかを判別する。
【００８９】
ここで、過去に指定されていた場合、ＣＰＵ１０は、所定のメッセージを表示画面中の例えばオブジェクトの近傍に表示させる（ステップＤ６）。
【００９０】
図１４には、オブジェクト（図中「ターゲット」の文字を表す画像）の近傍にメッセージが表示された例を示している。図１４に示す例では、メッセージとしてオブジェクト管理データに操作データとして記憶されている操作内容、すなわち操作日時、操作者（ユーザ名）、指定操作の形態を示すメッセージが表示されている。
【００９１】
これにより、例えば会議に参加している他者が同じオブジェクトを指定して強調表示させていた場合に、メッセージ表示によって、前にいつ誰がオブジェクトを指定したかを確認できるので議論の効率化や活性化を図ることができる。
【００９２】
なお、メッセージの内容については、図１４の例に限定されるものではなく、操作データの一部を選択的に利用しても良い。
【００９３】
メッセージ表示をした場合、所定時間（例えば１秒）が経過した後、メッセージの表示を中止してオブジェクトを「拡大型」により強調表示させる（ステップＤ７）。ＣＰＵ１０は、表示設定データの「拡大型」に対して予め設定されるデータ（時間、拡大率、回数）に応じて、オブジェクトの画像に対して画像処理を施して表示させる。
【００９４】
図１５には、「ターゲット」の文字を表すオブジェクトに対して「拡大型」の強調表示がされた例を示している。図１５（ａ）は、元の表示形態を示しており、図１５（ｂ）〜（ｅ）に示すように、時間経過に伴ってオブジェクトを所定の拡大率に従って順次拡大させることで強調表示している。
【００９５】
これにより、表示画面中で指し示したオブジェクトを明確に他者に認識させることが可能となる。
【００９６】
ＣＰＵ１０は、「拡大型」によるオブジェクトの強調表示を終了すると、この強調表示の操作内容を履歴データとしてオブジェクト管理データに設定する（ステップＤ８）。すなわち、拡大対象となったオブジェクトを示すデータと対応付けて、オブジェクトに対する操作内容（「拡大型」）を示す操作データを記憶しておく。オブジェクト管理データでは、例えば会議別にオブジェクトを示すデータと操作データとが分類されて順次記憶される。なお、オブジェクト管理データの会議名、会議データについては、別途、ユーザにより入力されて記憶されるものとする。
【００９７】
ところで、入力された座標データが示す軌跡により下線であると判別した場合（ステップＤ１０、Ｙｅｓ）、軌跡に対応する位置にオブジェクトが設定されているかを、オブジェクト化処理により保存されているオブジェクトに関連するファイル、すなわちオブジェクトの位置を示すデータをもとに判別する。
【００９８】
ここで、オブジェクトが存在しない場合（ステップＤ１１、Ｎｏ）、ＣＰＵ１０は、範囲指定の場合と同様にして、軌跡が示す範囲の画像を取得し、この画像に対してステップＢ１（図７）において判別された操作者に対して設定されている表示色により強調表示する（ステップＤ１５）。
【００９９】
図１３中に示すＢは、下線として判別された軌跡である。下線の場合には、例えば軌跡の上方あるいは重なっている部分に存在する、所定距離以内の間隔をもって連続する座標データ（文字等）の上下端と左右端に接するｘｙ座標軸に平行な線により囲まれる矩形枠内の画像を取得する。図１２のＢに示す下線の場合には、「企画書」の文字を表す画像が取得される。なお、図１２のＤに示す下線の場合、軌跡から上方の所定範囲内に画像データが存在しないので、この場合には下線による指定を無効としても良い。
【０１００】
一方、下線により指定された位置にオブジェクトが存在していた場合（ステップＤ１１、Ｙｅｓ）、ＣＰＵ１０は、範囲指定の場合と同様にして、該当するオブジェクトをオブジェクト管理データから検索し、このオブジェクトに対応付けて操作データが記憶されているかを判別する。すなわち、過去に同じオブジェクトに対して強調表示の対象として指定されているかを判別する。
【０１０１】
ここで、過去に指定されていた場合、ＣＰＵ１０は、範囲指定の場合と同様にして、例えば図１４に示すようにして、所定のメッセージを表示画面中の例えばオブジェクトの近傍に表示させる（ステップＤ１３）。
【０１０２】
メッセージ表示をした場合、所定時間（例えば１秒）が経過した後、メッセージの表示を中止してオブジェクトを「横揺れ型」により強調表示させる（ステップＤ１４）。ＣＰＵ１０は、表示設定データの「横揺れ型」に対して予め設定されるデータ（時間、揺れ幅、回数）に応じて、オブジェクトの画像に対して画像処理を施して表示させる。
【０１０３】
図１６には、「ターゲット」の文字を表すオブジェクトに対して「横揺れ型」の強調表示がされた例を示している。図１６（ａ）は、元の表示形態を示しており、図１６（ｂ）〜（ｅ）に示すように、時間経過に伴ってオブジェクトを所定の横揺れ幅に従って順次表示位置が変更されることで強調表示している。
【０１０４】
これにより、表示画面中で指し示したオブジェクトを明確に他者に認識させることが可能となる。
【０１０５】
ＣＰＵ１０は、「横揺れ型」によるオブジェクトの強調表示を終了すると、この強調表示の操作内容を履歴データとしてオブジェクト管理データに設定する（ステップＤ８）。すなわち、拡大対象となったオブジェクトを示すデータと対応付けて、オブジェクトに対する操作内容（「横揺れ型」）を示す操作データを記憶しておく。
【０１０６】
このようにして、表示された画像に対する入力操作によって、強調表示の対象を簡単に選択することができ、また指定操作の形態（範囲指定、下線）により強調表示の表示形態についても同時に指定することができるので、良好な操作性が提供できる。
【０１０７】
なお、前述した説明では、指定操作の形態（範囲指定、下線）により強調表示の表示形態を指定しているが、例えば図１７に示すようなメニューボタンを表示画面中に設定し、このボタンにたいする選択操作によって明示的に強調表示の形態を指定できるようにしても良い。
【０１０８】
図１７（ｂ）は、図１７（ａ）に示すメニューボタンの一部を拡大して示すものである。図１７（ｂ）に示すボタンＡは「横揺れ型」、ボタンＢは「拡大型」の表示形態に該当するボタンである。
【０１０９】
例えば、ボタンＡを選択した後、オブジェクトを選択する入力操作をすることにより、選択されたオブジェクトに対してボタンＡが示す「横揺れ型」の表示形態によって強調表示する。
【０１１０】
なお、図１７（ｂ）に示すボタンＣ（「Ｏｐｅｎ」ボタン）は後述する再現操作処理、ボタンＤは設定処理の実行（コマンド）を指示することができるボタンである。これらのボタンに対する選択により、それぞれに該当処理を実行させることもできる。
【０１１１】
こうしたメニューを用意することで、ポインティングデバイスによる軌跡の入力操作が不都合なユーザであっても、任意のオブジェクトに対して簡単に強調表示させることができる。
【０１１２】
次に、オブジェクトに対する強調表示の履歴をもとに強調処理を再現させる再現操作処理について、図１８に示すフローチャートを参照しながら説明する。再現操作処理は、オブジェクト管理データに履歴データとして記録されたデータをもとに、オブジェクトに対する強調表示を時系列的に再生する。
【０１１３】
ＣＰＵ１０は、電子ホワイトボード処理により画像の表示（投影）な可能な状態において（ステップＥ１、Ｙｅｓ）、オブジェクト管理データの読み出しを指示するコマンド（例えば「Ｏｐｅｎ」ボタン）が選択されると（ステップＥ２、Ｙｅｓ）、オブジェクト管理データ中から会議名と会議データとを読み出して会議記録一覧の画像を表示させる（ステップＥ３）。
【０１１４】
図１９には、会議記録一覧が表示された画面の一例を示している。図１９に示す例では、会議の日時、会議名、会議の場所が対応付けられて一覧表示されている。この会議記録一覧表示では、何れかを例えばポインティングデバイスの操作により任意に選択することができる。
【０１１５】
ここで、何れかの会議が設定されて「ＯＫ」ボタンが指定されると、ＣＰＵ１０は、選択された画異議のオブジェクト管理データを読み出す（ステップＥ５）。例えば、「○○会議」が選択された場合には、この会議名と対応付けて設定された、強調表示の対象となったオブジェクトを示すデータと操作データの履歴を取得する。
【０１１６】
そして、この会議で用いられた画像データ（全体、オブジェクトの各ファイル）をもとに画像を表示し、先頭のオブジェクトと操作データを選択して（ステップＥ６）、オブジェクト操作を再現する（ステップＥ７）。すなわち、オブジェクトを示すデータに該当するオブジェクトに対して、操作データが示す操作内容に応じて強調表示を施して表示する。
【０１１７】
ここで、次の強調表示を実行させる指示が、例えばポインティングデバイスの操作により入力された場合（ステップＥ８）、次のオブジェクトと操作データを選択して、同様にして該当するデータに従ってオブジェクトの強調表示を再現する（ステップＥ６、Ｅ７）。
【０１１８】
また、次の強調表示を実行させる指示が一定時間経過（例えば３秒（任意に設定できるようにしても良い））しても入力されない場合（ステップＥ９、Ｙｅｓ）、次のデータが存在していれば（ステップＥ１０、Ｎｏ）、同様にして、次のオブジェクトと操作データを選択して、同様にして該当するデータに従ってオブジェクトの強調表示を再現する（ステップＥ６、Ｅ７）。
【０１１９】
こうして、次操作の指示に応じて、あるいは一定時間が経過する毎に、オブジェクト管理データに履歴データとして記憶された、強調表示の対象となったオブジェクトを示すデータと操作データをもとにして、会議中でユーザ操作により実行されたオブジェクトに対する強調表示を、時系列的に順次再現することができる。
【０１２０】
これにより、例えば会議が終了した後に、何れのオブジェクトに対して強調表示がされたかを時系列的に確認することで、会議でどのような議論がされ、どのように議論の内容が変化していったかなどを把握することができる。
【０１２１】
なお、前述した実施形態では、オブジェクトの強調表示の表示形態として、サイズ変更（「拡大型」）、表示位置変更（「横揺れ型」）の場合について示しているが、その他の表示形態による強調表示も可能である。例えば、サイズ変更として拡大するだけでなく縮小させる、あるいは拡大と縮小を組み合わせたり、また表示位置変更として横揺れだけでなく縦揺れ、横揺れと縦揺れの組み合わせ、さらには不規則な揺れであっても良い。さらに、時間経過に伴って、オブジェクトの表示色を変更する、オブジェクトの形状を変更する、オブジェクトを回転させる、オブジェクト内の文字のフォントや色を変更するといったことも可能である。また、これらを任意に組み合わせた強調表示も可能である。
【０１２２】
また、電子会議装置１を実現するコンピュータに実行させることのできる電子会議装置制御プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。電子会議装置制御プログラムによりコンピュータの動作を制御することで、前述した実施形態における機能を実現することができる。
【図面の簡単な説明】
【０１２３】
【図１】本実施形態における電子会議装置１を使用するシステム構成を示すブロック図。
【図２】図１に示す電子会議装置１の詳細な構成を示すブロック図。
【図３】ネットワークを介して接続される複数の端末（パーソナルコンピュータ２，３，４、ＰＤＡ５）を管理するための端末管理データの一例を示す図。
【図４】画像データ中で設定されたオブジェクトに対する強調表示のための操作に関するデータを管理するためのオブジェクト管理データの一例を示す図。
【図５】オブジェクトに対する強調表示に関するデータを管理するための表示設定データの一例を示す図。
【図６】電子会議装置１による全体の動作（電子ホワイトボード処理）について説明するためのフローチャート。
【図７】操作モードに応じた処理（ステップＡ３）の詳細について説明するためのフローチャート。
【図８】表示された画像データからオブジェクトを生成するためのオブジェクト化処理について説明するためのフローチャート。
【図９】表示された画像データからオブジェクトを生成するためのオブジェクト化処理について説明するためのフローチャート。
【図１０】表示形態を設定するための設定画面の一例を示す図。
【図１１】オブジェクトを特別な表示形態に強調表示するための強調処理について説明するためのフローチャート。
【図１２】ドラッグ操作により入力される範囲指定あるいは下線を表す軌跡の一例を示す図。
【図１３】軌跡が示す範囲に該当する画像の一例を示す図。
【図１４】オブジェクトの近傍にメッセージが表示された例を示す図。
【図１５】「ターゲット」の文字を表すオブジェクトに対して「拡大型」の強調表示がされた例を示す図。
【図１６】「ターゲット」の文字を表すオブジェクトに対して「横揺れ型」の強調表示がされた例を示す図。
【図１７】メニューボタンの設定例を示す図。
【図１８】オブジェクトに対する強調表示の履歴をもとに強調処理を再現させる再現操作処理について説明するためのフローチャート。
【図１９】会議記録一覧が表示された画面の一例を示す図。
【符号の説明】
【０１２４】
１…電子会議装置、２，３，４…パーソナルコンピュータ、５…ＰＤＡ、６…プロジェクタ、７…スクリーン、１０…ＣＰＵ、１１…ＲＡＭ、１２…ＲＯＭ、１３…ＲＴＣ、１４…無線ＬＡＮコントローラ、１４ａ…アンテナ、１５…映像信号出力コントローラ、１６…ＬＣＤコントローラ、１７…デバイスコントローラ、１８…ＵＳＢコントローラ、１９…ハードディスクコントローラ、２０…ＬＣＤ、２１…ポインティングデバイス、２２…ＵＳＢインタフェース、２３…ハードディスク。
【図１】
2007066081.tif 000003
【図２】
2007066081.tif 000004
【図３】
2007066081.tif 000005
【図４】
2007066081.tif 000006
【図５】
2007066081.tif 000007
【図６】
2007066081.tif 000008
【図７】
2007066081.tif 000009
【図８】
2007066081.tif 000010
【図９】
2007066081.tif 000011
【図１０】
2007066081.tif 000012
【図１１】
2007066081.tif 000013
【図１２】
2007066081.tif 000014
【図１３】
2007066081.tif 000015
【図１４】
2007066081.tif 000016
【図１５】
2007066081.tif 000017
【図１６】
2007066081.tif 000018
【図１７】
2007066081.tif 000019
【図１８】
2007066081.tif 000020
【図１９】
2007066081.tif 000021